(57)【要約】【課題】小型化を実現したＬＥＤ照明器具を提供する。【解決手段】器具本体２は、前部に開口が設けられた箱形に形成され、ＬＥＤユニット５を内部に収納する。ＬＥＤユニット５の発光は器具本体２の開口から外部へ照射される。支持部材３は、互いに並行に配置される一対のアーム部３２を有し、アーム部３２の先端部で器具本体２を回転自在に支持する。目盛板４は、器具本体２に取り付けられ、器具本体２の回転軸である軸３３の周りに配置されている。目盛板４には、アーム部３２に対する器具本体２の相対的な回転角度を表示するための目盛が設けられている。軸３３の軸方向と平行な方向から見て、目盛板４の一部が器具本体２の側面（側板部２２の表面）と重なるように目盛板４は配置されている。側板部２２には、目盛板４が重なる領域（平坦面２２ｂ）が、他の領域よりも内側に位置するように段差が設けられている。【選択図】図１
2014186967.tif 000002
【特許請求の範囲】
【請求項１】
前部に開口が設けられた箱形に形成され、ＬＥＤを内部に収納し、前記ＬＥＤの発光を前記開口から外部へ照射させる器具本体と、
互いに並行に配置される複数のアーム部を有し、前記アーム部の先端部で前記器具本体を回転自在に支持する支持部材と、
前記器具本体及び前記アーム部のうちの何れかに取り付けられて前記器具本体の回転軸の周りに配置され、前記アーム部に対する前記器具本体の相対的な回転角度を表示するための目盛が設けられた目盛板とを備え、
前記回転軸と平行な方向から見て、前記目盛板の少なくとも一部が前記器具本体の側面と重なるように前記目盛板は配置されており、
前記器具本体の前記側面には、前記目盛板が重なる領域が、他の領域よりも内側に位置するように段差が設けられたことを特徴とするＬＥＤ照明器具。
【請求項２】
前記側面において前記目盛板が重なる領域と他の領域との間に設けられた段差部分に前記アーム部が当たることによって、前記アーム部の回転範囲が規制されることを特徴とする請求項１記載のＬＥＤ照明器具。
【請求項３】
前記器具本体の後部には、前記回転軸と直交する平面に沿って延びる放熱用のフィンが設けられたことを特徴とする請求項１又は２の何れか１項に記載のＬＥＤ照明器具。
【発明の詳細な説明】
【技術分野】
【０００１】
本発明は、ＬＥＤ照明器具に関するものである。
【背景技術】
【０００２】
従来、ランプを収納する照明器具本体と、照明器具本体を支持して照明台などに取り付けられる取付金具とを備え、投光器として使用される照明器具があった（例えば特許文献１参照）。
【０００３】
照明器具本体の前側には、内面形状が回転放物面に形成された反射板が取り付けられており、その内側にランプが配置されている。
【０００４】
取付金具はＵ型に折り曲げ形成されており、両側のアーム部分の間には照明器具本体の側面が回転自在に支持されている。すなわち、照明器具本体は、両側のアーム部分の先端間を結んでできる回転軸を中心として回転自在に支持されている。
【０００５】
一方のアーム部分の内側には、取付金具に対する照明器具本体の角度（回転角度）を調整する際に目安となる目盛が付された円板が取り付けられている。
【先行技術文献】
【特許文献】
【０００６】
【特許文献１】特開平９−１６６１３１号公報
【発明の概要】
【発明が解決しようとする課題】
【０００７】
上述の照明器具では、角度の目盛が付された円板が、一方のアーム部分の内側に取り付けられている。目盛の見えやすさを確保するために、円板はある程度の大きさが必要になるが、円板と反射板とが干渉しないように、アーム部分を外側に配置する必要がある。そのため、器具本体の後部の大きさが広がってしまい、器具本体が大型化するという問題があった。
【０００８】
本発明は上記課題に鑑みて為されたものであり、その目的とするところは、小型化を実現したＬＥＤ照明器具を提供することにある。
【課題を解決するための手段】
【０００９】
本発明のＬＥＤ照明器具は、器具本体と、支持部材と、目盛板とを備えることを特徴とする。器具本体は、前部に開口が設けられた箱形に形成され、ＬＥＤを内部に収納し、前記ＬＥＤの発光を前記開口から外部へ照射させる。支持部材は、互いに並行に配置される複数のアーム部を有し、前記アーム部の先端部で前記器具本体を回転自在に支持する。目盛板は、前記器具本体及び前記アーム部のうちの何れかに取り付けられて前記器具本体の回転軸の周りに配置され、前記アーム部に対する前記器具本体の相対的な回転角度を表示するための目盛が設けられている。前記回転軸と平行な方向から見て、前記目盛板の少なくとも一部が前記器具本体の側面と重なるように前記目盛板は配置されており、前記器具本体の前記側面には、前記目盛板が重なる領域が、他の領域よりも内側に位置するように段差が設けられている。
【００１０】
このＬＥＤ照明器具において、前記側面において前記目盛板が重なる領域と他の領域との間に設けられた段差部分に前記アーム部が当たることによって、前記アーム部の回転範囲が規制されることも好ましい。
【００１１】
このＬＥＤ照明器具において、前記器具本体の後部には、前記回転軸と直交する平面に沿って延びる放熱用のフィンが設けられることも好ましい。
【発明の効果】
【００１２】
本発明によれば、器具本体の側面には、回転軸と平行な方向から見て目盛板と重なる領域が、他の領域よりも内側に位置するように段差が設けられているので、アーム部の位置を内側に配置することができる。したがって、器具本体において支持部材に支持される部位の大きさを小さくできるから、全体として器具本体の小型化を図ることができる。
【図面の簡単な説明】
【００１３】
【図１】本実施形態の照明器具を示し、（ａ）は正面図、（ｂ）は左側面図、（ｃ）は背面図である。
【図２】同上の照明器具を示し、（ａ）は上面図、（ｂ）は下面図である。
【図３】同上の照明器具の右側面図である。
【図４】同上の照明器具を示し、（ａ）は一部破断した正面図、（ｂ）は左側から見た断面図である。
【図５】同上の照明器具の回転範囲を説明する説明図である。
【発明を実施するための形態】
【００１４】
以下に本発明の実施の形態を図１〜図５に基づいて説明する。本実施形態では屋外用の投光器を例に説明するが、本発明に係る照明器具は屋外用の投光器に限定されるものではなく、他の用途に用いられる照明器具にも適用が可能である。
【００１５】
図１〜図４に示すように、本実施形態のＬＥＤ照明器具１は、器具本体２と、支持部材３とを備えている。なお、以下の説明では特に断りが無いかぎり、図１（ａ）に示す向きにおいて上下左右の方向を規定し、図３における左側を前側と規定して説明を行う。この方向は説明の便宜上規定するものであって、ＬＥＤ照明器具１の使用時の方向を限定するものではない。
【００１６】
器具本体２は、例えばダイカスト法により形成されたアルミニウムのダイカスト成型品からなる。器具本体２は、矩形状の底板部２１と、底板部２１の外縁から前側に突出するように設けられた側板部２２とで、前面が開口した箱形に形成されている。側板部２２の前端部には、枠部材２４を取り付けるためのフランジ２３が設けられている。図４（ｂ）に示すように、フランジ２３と枠部材２４との間には、例えば結晶化ガラスからなるガラス板２５が挟持されており、後述するＬＥＤユニット５の発光はガラス板２５を通して前方に照射される。なお、フランジ２３及び枠部材２４とガラス板２５との間にはパッキン（図示せず）が嵌め込まれており、密閉性を向上させている。
【００１７】
器具本体２の内部には、４個のＬＥＤユニット５と、電源ユニット６と、反射板ユニット７とが収納されている。
【００１８】
各々のＬＥＤユニット５は、光源であるＬＥＤ（Light Emitting Diode）及びレンズを基板上に実装することによって構成されている。４個のＬＥＤユニット５は、底板部２１において正方形の頂点をなす位置にそれぞれ配置されている。なお、４個のＬＥＤユニット５は底板部２１の上側に寄せて配置されている。
【００１９】
電源ユニット６は、左右方向に細長い直方体状のケース６１を備えている。ケース６１の内部には２組の電源回路（図示せず）が収納されている。電源回路は、例えばスイッチング電源からなり、ＬＥＤユニット５に一定電流を供給して、ＬＥＤユニット５を点灯させる。各々の電源回路には、２個のＬＥＤユニット５が直列に接続されており、各電源回路がＬＥＤユニット５に給電することによってＬＥＤユニット５が点灯する。なお、ＬＥＤユニット５の個数や電源仕様は、ＬＥＤ照明器具１の光出力などの仕様に応じて適宜変更が可能である。
【００２０】
図４（ｂ）に示すように、器具本体２の内部において、電源ユニット６を収納する収納空間２６は、ＬＥＤユニット５及び反射板ユニット７を収納する収納空間の下側に設けられている。
【００２１】
下側の側板部２２には、後側に行くにつれて内側（器具本体２の内部空間側であり、図４（ｂ）の上側）に傾斜するような傾斜部２２ａが設けられている。傾斜部２２ａはＬＥＤユニット５の取付位置よりも後側まで突出している。底板部２１の上側部は器具本体２の前面と平行な平板部２１ａとなっており、平板部２１ａにＬＥＤユニット５が取り付けられる。底板部２１の下側部には、傾斜部２２ａの後端から斜め上側に向かって、傾斜部２２ａと略直角に突出する張出部２１ｂが設けられている。図４（ｂ）に示すように、張出部２１ｂの上端部分と平板部２１ａとの間には段差が設けられている。この段差部分には、図１（ｃ）、図２（ａ）及び図３に示すように、左右方向の中央部から外側に向かうにつれて斜め下向き（傾斜部２２ａに近付く向き）に傾斜する傾斜面２１ｃが設けられている。また、底板部２１（平板部２１ａ及び張出部２１ｂからなる）から傾斜部２２ａの外側面にかけて、上下方向に沿ってそれぞれ延びる複数個のフィン２７が、左右方向に略一定の間隔をあけて形成されている。
【００２２】
図４（ｂ）に示すように、張出部２１ｂと傾斜部２２ａと左右の側板部２２で囲まれる収納空間２６は、平板部２１ａと上側の側板部２２と左右の側板部２２で囲まれる収納空間よりも深さが深くなっている。電源ユニット６は、図４（ａ）（ｂ）に示すように、ケース６１の一側面を傾斜部２２ａの内側面に対向させた状態で収納空間２６に収納されている。なおケース６１の一側面は傾斜部２２ａの内側面に当接していてもよい。
【００２３】
傾斜部２２ａは後側に行くほど内側に傾斜しているので、傾斜部２２ａの内側面に一側面を対向させた状態で配置されたケース６１も後側に行くほど内側寄りとなるように傾斜しており、ケース６１の一側面が前後方向と平行するように配置された場合に比べて、器具本体２の後部の大きさが小さくなっている。また器具本体２は、後述するように、軸３３を中心に回転自在となるように支持部材３に支持されている。本実施形態では電源ユニット６のケース６１は後側に行くほど上側に向かうように配置されており、ケース６１の後部が軸３３に近付けて配置されているので、器具本体２を支持する軸３３に加わる荷重が減少している。
【００２４】
底板部２１の下部には、外部から電源線を導入するためのケーブル導入口２１ｄが設けられている。傾斜部２２ａには、ケーブル導入口２１ｄの近傍に開口が設けられ、この開口を覆うようにして蓋２９が取り付けられている。器具本体２の内部に収納された電源ユニット６に電源線を接続する際は、蓋２９を外した状態で、ケーブル導入口２１ｄから電源線を内部に挿入し、傾斜部２２ａの開口を通して、電源線に接続されたコネクタを電源ユニット６側のコネクタに接続する作業を行う。コネクタの接続作業が終了すると、蓋２９で傾斜部２２ａの開口を塞ぎ、器具本体２の内部を密閉する。
【００２５】
底板部２１において、張出部２１ｂよりも上側の平板部２１ａには４個のＬＥＤユニット５が配置されている。４個のＬＥＤユニット５は、２個ずつ上下に分かれて配置されている。上側の２個のＬＥＤユニット５と、下側の２個のＬＥＤユニット５は、それぞれ左右両側に略同じ間隔を開けて配置されており、正面から見て正方形の頂点をなす位置にＬＥＤユニット５がそれぞれ配置されている。
【００２６】
反射板ユニット７は、取付板７１と、取付板７１に取り付けられた４個の反射部材７２とを備えている。取付板７１の前面は反射率を高めるために白色塗装が施されている。取付板７１は、器具本体２の開口付近に、ガラス板２５と平行するようにして配置されている。取付板７１には、底板部２１に配置された各ＬＥＤユニット５の前方位置に丸孔（図示せず）が設けられ、各々の丸孔に反射部材７２が取り付けられている。反射部材７２は前後方向の両端が開口した筒状に形成されており、反射部材７２の内面は回転放物面となっている。各ＬＥＤユニット５は、前方から見て、反射部材７２の後部開口の中央付近に配置されており、ＬＥＤユニット５から照射された光の配光は反射部材７２によって制御される。
【００２７】
また底板部２１の後面には、支持部材３の軸３３を回転自在に支持する軸受部２８が左右両側に設けられている。軸受部２８は、平板部２１ａにおいて張出部２１ｂ寄りに設けられており、重量物である電源ユニット６側に回転中心を配置することで、重量のバランスを保っている。
【００２８】
支持部材３は金属の板金を折り曲げて形成されており、ＬＥＤ照明器具１が設置される基礎部分（図示せず）に載置される取付板３１と、取付板３１の両側を折り曲げて形成された一対のアーム部３２とを一体に備えている。
【００２９】
取付板３１には、図２に示すように、丸孔３１ａと、丸孔３１ａを中心に半円を描くように弧状に延びる長孔３１ｂとが設けられている。基礎部分には、丸孔３１ａに挿通される取付ボルトと、長孔３１ｂに挿通される取付ボルトが設けられている。２本の取付ボルトを丸孔３１ａ及び長孔３１ｂに通し、各取付ボルトにねじ込んだナットで取付板３１を締め付けることによって、取付板３１が基礎部分に固定される。ここで、長孔３１ｂは、丸孔３１ａを中心として半円を描くように弧状に延びているので、ナットを緩めた状態で、丸孔３１ａに通した取付ボルトを中心に取付板３１を回転させることによって、光の照射方向を１８０度の範囲で調整することができる。なお取付板３１には、長孔３１ｂの外周に沿って角度の目盛が形成されており、照射方向を調整する際の目安とすることができる。
【００３０】
一対のアーム部３２は取付板３１から斜め上向き前方に突出しており、一対のアーム部３２の先端側は互いに平行するように形成されている。各アーム部３２の先端側には、内側向き（他方のアーム部３２側）に突出する軸３３が設けられ、各アーム部３２の軸３３は対応する軸受部２８に外側から支持されている。これにより、器具本体２は、軸３３を中心として回転自在に支持部材３に支持されている。２つの軸受部２８のうち、一方（例えば左側）の軸受部２８には、金属製（例えばアルミニウム製）の円板からなる目盛板４が取り付けられている。目盛板４は、その中心が軸３３に一致するようにして器具本体２に取り付けられている。目盛板４には、アーム部３２に対する器具本体２の相対的な回転角度を示す角度の目盛が形成されている。本実施形態のＬＥＤ照明器具１では、器具本体２の首振り角度が下向き方向では最大６０度、上向き方向では最大９０度となっている。目盛板４には、下向き方向の６０度から上向き方向の９０度まで目盛が形成されている。図５は器具本体２の回転範囲を示す説明図である。図５では、光の照射方向が水平方向となる位置（傾きが０度）に回転した器具本体２を実線で示し、照射方向が下側６０度の方向を向く位置に回転した器具本体２を二点鎖線で示し、照射方向が鉛直上向きとなる位置に回転した器具本体２を破線で示している。
【００３１】
器具本体２の左右の側板部２２には、底板部２１から側板部２２の前後方向中間部まで、底板部２１の左右両側縁から前側に向かって突出する平坦面２２ｂが設けられている。左右の側板部２２において、平坦面２２ｂと、平坦面２２ｂよりも前側の部位との間には段差が設けられ、この段差部分に目盛板４の一部が配置される。
【００３２】
このように、器具本体２の側板部２２とアーム部３２の間には、軸３３の周りに配置されるようにして、目盛板４が器具本体２に取り付けられている。アーム部３２との間に目盛板４が配置された側板部２２の表面（側面）には、軸３３の軸方向と平行な方向から見て、目盛板４が重なる領域（平坦面２２ｂ）と、他の領域（すなわち平坦面２２ｂよりも前側の領域）との間に段差が設けられている。而して、視認性を向上させるために目盛板４を大きくした場合でも、目盛板４と器具本体２との干渉を避けることができる。また、目盛板４を大きくした場合でも、目盛板４が配置される平坦面２２ｂと、側板部２２の最外部との間には段差が設けられているので、器具本体２の後部の大きさを小さくでき、器具本体２の小型化を図ることができる。
【００３３】
また、左右の側板部２２の表面において、最外部との間に段差が設けられた領域（平坦面２２ｂ）と、最外部との間の段差部分２２ｃ，２２ｄに、アーム部３２が当たることでアーム部３２の回転範囲を規制することができる。図５に示すように、器具本体２が下向きに６０度を超えて回転すると、アーム部３２が段差部分２２ｄに当たり、これ以上は下向きに回転できないようになっている。また器具本体２が上向きに９０度を超えて所定角度まで回転すると、アーム部３２が段差部分２２ｃに当たり、それ以上は上向きに回転できないようになっている。
【００３４】
また、一方のアーム部３２には、所望の角度に回転した状態で器具本体２の位置を固定するためのハンドル３４が設けられている。ハンドル３４は金属棒をＬ型に折り曲げて形成されている。ハンドル３４の一端側に形成されたネジ部はアーム部３２のネジ穴にねじ込まれ、その先端には締め付け金具３５が連結されている。ハンドル３４を一方向に回転させると、締め付け金具３５がアーム部３２に近付く向きに移動し、締め付け金具３５とアーム部３２との間に器具本体２の一部が挟持されることによって、器具本体２の位置が固定される。ハンドル３４を逆方向に回転させると、締め付け金具３５がアーム部３２から離れる方向に移動するので、器具本体２が開放され、アーム部３２の軸３３を中心として器具本体２を回転させることができる。
【００３５】
以上説明したように、本実施形態のＬＥＤ照明器具１は、器具本体２と、支持部材３と、目盛板４とを備える。
器具本体２は、前部に開口が設けられた箱形に形成され、ＬＥＤユニット５（ＬＥＤ）を内部に収納し、ＬＥＤユニット５の発光を開口から外部へ照射させる。支持部材３は、互いに並行に配置される複数（本実施形態では一対）のアーム部３２を有し、アーム部３２の先端部で器具本体２を回転自在に支持する。目盛板４は、器具本体２に取り付けられて、器具本体２の回転軸（軸３３）の周りに配置される。目盛板４には、アーム部３２に対する器具本体２の相対的な回転角度を表示するための目盛が設けられている。回転軸（軸３３）と平行な方向から見て、目盛板４の少なくとも一部が器具本体２の側面（側板部２２の表面）と重なるように目盛板４は配置されている。そして、側板部２２の表面には、目盛板４が重なる領域（平坦面２２ｂ）が、他の領域よりも内側に位置するように段差が設けられている。尚、本実施形態では目盛板４は器具本体２に取り付けられているが、器具本体２又はアーム部３２の何れかに取り付けられていればよく、アーム部３２に取り付けられていてもよい。
【００３６】
このように、器具本体２の側面（側板部２２の表面）には、目盛板４が配置される領域（平坦面２２ｂ）が、他の領域（平坦面２２ｂの前側の部位）よりも内側に位置するように段差が設けられているので、アーム部３２の位置を内側に配置することができる。よって、器具本体２の後部の大きさが小さくなり、器具本体の小型化を図ることができる。
【００３７】
また、器具本体２の側面（側板部２２の表面）において、目盛板が重なる領域（平坦面２２ｂ）と、他の領域（平坦面２２ｂよりも前側の部位）との間に設けられた段差部分２２ｃ，２２ｃにアーム部３２が当たることで、アーム部３２の回転範囲が規制される。図５に示すように、器具本体２が下向きに６０度を超えて回転すると、アーム部３２が段差部分２２ｄに当たり、これ以上は下向きに回転できないようになっている。また器具本体２が上向きに９０度を超えて所定角度まで回転すると、アーム部３２が段差部分２２ｃに当たり、それ以上は上向きに回転できないようになっている。
【００３８】
これにより、アーム部３２に対して器具本体２が所定の回転範囲を超えて回転することを規制でき、光が照射される方向の調整範囲を所望の角度範囲に制限することができる。
【００３９】
また、器具本体２の後部には、回転軸（軸３３）と直交する平面に沿って延びる放熱用のフィン２７が設けられている。
【００４０】
フィン２７は、回転軸（軸３３）と直交する平面に沿って形成されているので、回転軸（軸３３）が水平方向と平行するようにＬＥＤ照明器具１が設置されると、フィン２７は鉛直方向と平行な方向に沿って延びるように配置される。ところで、鉛直方向に対して斜めに交差する方向にフィン２７が延びている場合、器具本体２の表面に付着した水や埃などが、フィン２７に載ったまま、下に落ちにくくなり、低温時にはフィン２７の表面に着氷する可能性がある。それに対して、フィン２７が鉛直方向に沿って延びるようにＬＥＤ照明器具１が設置されていると、フィン２７の表面に付いた水や埃などが下側に落ちやすくなり、低温時にフィン２７の表面に着氷しにくくなる。
【００４１】
なお、本発明の精神と範囲に反することなしに、広範に異なる実施形態を構成することができることは明白なので、この発明は、特定の実施形態に制約されるものではない。
【符号の説明】
【００４２】
１  ＬＥＤ照明器具
２  器具本体
３  支持部材
４  目盛板
５  ＬＥＤユニット（ＬＥＤ）
２１  底板部
２２  側板部（器具本体の側面）
２２ｂ  平坦面（段差が設けられた領域）
２２ｃ，２２ｄ  段差部分
２７  フィン
２８  軸受部
３２  アーム部
３３  軸（回転軸）
【図１】
2014186967.tif 000003
【図２】
2014186967.tif 000004
【図３】
2014186967.tif 000005
【図４】
2014186967.tif 000006
【図５】
2014186967.tif 000007